(57)【要約】【課題】ガラスで構成された蓋の安全性を高めることのできる洗濯機を提供する。【解決手段】本実施の形態１における洗濯機は、筐体である洗濯機本体１と、洗濯機本体１の内部に回転可能に支持された洗濯槽９と、衣類投入口２２が形成された上面カバー２と、衣類投入口２２を開閉自在に閉塞する蓋体３とを備える。蓋体３は、前蓋体４と、後蓋体５で構成される。前蓋体４は、前側天面部材１０と、前側裏面部材１１とからなる。後蓋体５は、後側天面部材１２と、後側裏面部材１３とからなる。後側裏面部材には、衣類投入口２２より洗濯槽９の内部を視認するための開口１３ａが形成される。後側天面部材１２における裏面側には、透明フィルム１８が設けられる。これにより、外部からの衝撃により透明窓部１２ａが割れたとしても、透明フィルム１８がガラスの破片の飛散を防止する。そのため、ガラスで構成された蓋の安全性や外観品位を安価に高めることができる。【選択図】図３
2019170614.tif 000002
【特許請求の範囲】
【請求項１】
筐体と、前記筐体内に配設される洗濯槽と、前記筐体に形成され、前記洗濯槽に洗濯物を投入する衣類投入口と、前記衣類投入口を開閉自在に閉塞する蓋体とを備え、前記蓋体は、ガラスにより形成され天面を構成する天面部材と、前記天面部材と重ね合わせて配設され裏面を構成する裏面部材とからなり、前記裏面部材には前記洗濯槽内を視認するための開口部を形成し、前記天面部材には、保護部を設けたことを特徴とする洗濯機。
【請求項２】
前記保護部は、前記開口部と対向する位置に設けたことを特徴とする請求項１に記載の洗濯機。
【請求項３】
前記保護部は、薄膜状に形成され、前記天面部材の裏面側に配設されることを特徴とする請求項１または２に記載の洗濯機。
【発明の詳細な説明】
【技術分野】
【０００１】
本発明は、ガラスで構成された蓋を備えた洗濯機に関するものである。
【背景技術】
【０００２】
従来、この種の洗濯機の蓋装置として、透明部を有する前蓋及び後蓋を設け、前蓋と後蓋の間に軸受部若しくは嵌合部を配設することで、折り畳み可能であって内部を視認可能とする蓋体の構成が提案されている（例えば、特許文献１参照）。
【０００３】
図７は、従来の洗濯機の外観斜視図である。
【０００４】
図７において、洗濯機本体３１の上部には、上面カバー３２が設けられており、上面カバー３２の略中央部には蓋体３３が開閉自在に設けられている。蓋体３３は、前蓋体３４と、後蓋体３５と、略中央部に設けられた軸支構造３６とを備える。蓋体３３は、軸支構造３６により折り畳み可能に構成される。
【０００５】
前蓋体３４は、透明材質で形成された前蓋４０と、前蓋４０により形成された把手部３７と、不透明部材で形成された前蓋当て板４１で構成されている。前蓋当て板４１は、中央に開口４３ａを有しており、前蓋４０の裏面から装着される。後蓋体３５は、透明材質で形成された後蓋４２と、不透明部材で形成された後蓋当て板４４で構成されている。後蓋当て板４４は、中央に開口４３ｂを有しており、後蓋４２の裏面から装着される。
【０００６】
以上の構成により、蓋体３３が閉じられている場合でも、前蓋４０の開口４３ａおよび後蓋４２の開口４３ａに対向する部分から洗濯機本体３１内部が視認可能となる。
【先行技術文献】
【特許文献】
【０００７】
【特許文献１】特開２０１１−２００２７４号公報
【発明の概要】
【発明が解決しようとする課題】
【０００８】
しかしながら、前記従来の構成では、前蓋４０の材料として透明樹脂材料を用いた場合、前蓋４０の表面に傷が付きやすいという課題があった。また、膨張係数が大きいという樹脂材料の特性により、気温変動や湿度変化によって樹脂部材の寸法変化が生じ、部材同士の接合部に隙間が生じるという課題があった。
【０００９】
樹脂材料の代わりに、蓋体の天面部材をガラスで形成した構成の場合、ガラス素材には樹脂素材より割れやすいという特性があるため、外部から強い衝撃を加えられると割れてしまい、ガラスの破片が飛散してしまう虞があった。
【００１０】
本発明は、前記従来の課題を解決するもので、ガラスで構成された蓋の安全性を高めることを目的としている。
【課題を解決するための手段】
【００１１】
上記の目的を達成するために、本発明の洗濯機は、筐体と、前記筐体内に配設される洗濯槽と、前記筐体に形成され、前記洗濯槽に洗濯物を投入する衣類投入口と、前記衣類投入口を開閉自在に閉塞する蓋体とを備え、前記蓋体は、ガラスにより形成され天面を構成する天面部材と、前記天面部材と重ね合わせて配設され裏面を構成する裏面部材とからな
り、前記裏面部材には前記洗濯槽内を視認するための開口部を形成し、前記天面部材には、保護部を設けたことを特徴とするように構成される。
【００１２】
これにより、樹脂製の蓋と比べて部品の膨張収縮が少なく、外観品位の高いガラス製の蓋を提供することができる。それに加えて、蓋を構成するガラス製の天面部材に衝撃が加わり、ガラスが割れてしまった場合、ガラスの破片が飛散することを防止できる。
【発明の効果】
【００１３】
本発明の洗濯機は、ガラスで構成された蓋の安全性を高めることができる。
【図面の簡単な説明】
【００１４】
【図１】本発明の実施の形態１における洗濯機の外観斜視図
【図２】同洗濯機の蓋体が開いた時の外観斜視図
【図３】同洗濯機の蓋体の分解斜視図
【図４】同洗濯機の蓋体の前側裏面部材の平面図
【図５】同洗濯機の蓋体の後側裏面部材の平面図
【図６】（ａ）同洗濯機の蓋体の断面図（ｂ）図６（ａ）のｂ部拡大断面図（ｃ）図６（ａ）のｃ部拡大断面図
【図７】従来の洗濯機の外観斜視図
【発明を実施するための形態】
【００１５】
第１の発明は、筐体と、前記筐体内に配設される洗濯槽と、前記筐体に形成され、前記洗濯槽に洗濯物を投入する衣類投入口と、前記衣類投入口を開閉自在に閉塞する蓋体とを備え、前記蓋体は、ガラスにより形成され天面を構成する天面部材と、前記天面部材と重ね合わせて配設され裏面を構成する裏面部材とからなり、前記裏面部材には前記洗濯槽内を視認するための開口部を形成し、前記天面部材には、保護部を設けるように構成される。これにより、蓋を構成するガラス製の天面部材に衝撃が加わり、ガラスが割れて、ガラスの破片が飛散することを防止でき、ガラスで構成された蓋の安全性や外観品位を安価に高めることができる。
【００１６】
第２の発明は、特に第１の発明において、前記保護部は、前記開口部と対向する位置に設けるように構成される。これにより、外部より天面部材に衝撃が加わり、ガラスが割れた場合に、ガラスの破片が洗濯槽の内部に飛散することを防止でき、ガラスで構成された蓋の安全性を高めることができる。
【００１７】
第３の発明は、特に第１又は第２の発明において、前記保護部は、薄膜状に形成され、前記天面部材の裏面側に配設されるように構成される。これにより、外部より天面部材に衝撃が加わり、ガラスが割れた場合に、ガラスの破片が洗濯槽の内部に飛散することを防止でき、ガラスで構成された蓋の安全性を高めることができる。
【００１８】
以下、本発明の実施の形態について、図面を参照しながら説明する。また、この実施の形態によって本発明が限定されるものではない。
【００１９】
（実施の形態１）
図１は、本発明の実施の形態１における洗濯機の外観斜視図、図２は、同洗濯機の蓋体が開いた時の外観斜視図を示すものである。
【００２０】
図１、図２において、筐体である洗濯機本体１は、上面カバー２と、蓋体３と、洗濯槽９と、衣類投入口２２などで構成される。上面カバー２は、洗濯機本体１の上部に設けられ、前部が後部よりも漸次低くなるように傾斜させて設けられる。衣類投入口２２は、上
面カバーの略中央部に設けられる。洗濯槽９は、洗濯機本体の内部に回転可能に支持される。
【００２１】
蓋体３は、前蓋体４と、後蓋体５、軸支部６などで構成される。蓋体３は、衣類投入口２２を開閉自在に覆うように設けられ、上面カバー２と同様に、上面の前部が低くなるように傾斜させて設けられる。
【００２２】
軸支部６は、蓋体３の略中央部に設けられ、前蓋体４と後蓋体５とを回動可能に連結することで、蓋体３を折り畳み可能とする。
【００２３】
また、後蓋体５は、支持部１３ｂやカバー１５を備える。支持部１３ｂは、後蓋体５の後部と上面カバー２の後部とを回動可能に連結することで、蓋体３を開閉可能とする。支持部１３ｂは、後蓋体５の左後部と右後部の２か所に設けられ、上面側はカバー１５で覆われる。
【００２４】
また、前蓋体４は、取手部７や第一凹部１１ａを備える。第一凹部１１ａは、前蓋体４の後方略中央部に設けられ、取手部７は、第一凹部１１ａの前方に隣接して設けられる。第一凹部１１ａに手を入れて、取手部７を上方に持ち上げつつ後方に押し込む操作をすることで、蓋体３を開いた状態にすることができる。
【００２５】
図３は、本発明の実施の形態１における洗濯機の蓋体の分解斜視図である。
【００２６】
図３において、前蓋体４は、天面部材である前側天面部材１０と、裏面部材である前側裏面部材１１と、取手カバー１４、固着部材である第一固着部材１６から構成される。
【００２７】
前側天面部材１０は、透明強化ガラスで構成され、取手部７の一部を形成しており、略馬蹄形状に形成されている。前側天面部材１０の裏面には、前側天面部材の華燭部１０ｃが設けられる。前側天面部材の華燭部１０ｃは、耐洗剤性に優れたインクによるシルク印刷を、端部まで広がるように施される。前側天面部材の華燭部１０ｃは、透明である前側天面部材１０を通して上側から視認され、前蓋体４の外観品位を向上させる。
【００２８】
前側裏面部材１１は、不透明な部材で構成され、前側天面部材１０の裏面から装着され、取手部７の一部を形成する略長方形状の第一凹部１１ａを有している。
【００２９】
取手カバー１４は、前側裏面部材１１に複数の爪形状部１４ａで固定され、取手部７の下部を形成する。
【００３０】
第一固着部材１６は、両面テープ等により構成され、厚肉に形成される。第一固着部材１６は、前側天面部材１０と前側裏面部材１１を接着固定する。
【００３１】
図３において、後蓋体５は、天面部材である後側天面部材１２と、裏面部材である後側裏面部材１３と、支持部１３ｂと、カバー１５と、固着部材である第二固着部材１７と、保護部である透明フィルム１８から構成されている。
【００３２】
後側天面部材１２は、前側天面部材１０と同様に、透明強化ガラスで略長方形状に形成されており、裏側には後側天面部材の華燭部１２ｃが設けられる。後側天面部材の華燭部１２ｃは、透明である後側天面部材１２を通して上側から視認され、後蓋体５の外観品位を向上させる。また、後側天面部材１２には、後述する開口部に対向する位置に、透明窓部１２ａが設けられる。透明窓部１２ａは、後側天面部材の華燭部１２ｃを施されず、外部から洗濯槽９の内部を視認可能とさせる。
【００３３】
後側裏面部材１３は、前側裏面部材１１と同様に、不透明部材で、後側天面部材１２の裏面から装着される。また、後側裏面部材１３は、後側天面部材１２の透明窓部１２ａと対向する位置に開口部である開口１３ａを有している。
【００３４】
支持部１３ｂは、上面カバー２の後部において、左右両側にそれぞれ二か所設けられ、後蓋体５を回動自在に軸支する。
【００３５】
カバー１５は、支持部１３ｂを覆うように、それぞれ二か所設けられる。カバー１５ａは、後側天面部材１２の表面部１２ｂより突出しないように構成される。
【００３６】
第二固着部材１７は、両面テープ等により構成され、厚肉に形成される。第二固着部材１７は、後側天面部材１２と後側裏面部材１３を接着固定する。
【００３７】
透明フィルム１８は、前述の透明窓部１２ａの裏面に設けられ、透明窓部１２ａに接着剤（図示せず）で固定される。透明フィルム１８は、透明な樹脂材料で構成され、ガラスで構成された透明窓部１２ａが割れた場合の、ガラス飛散防止のために設けられる。
【００３８】
また、上記の前側裏面部材１１、後側裏面部材１３、取手カバー１４、及びカバー１５等の部材は、ポリプロピレン樹脂製等のプラスチック射出成型加工品で構成される。
【００３９】
図４は、本発明の実施の形態１における洗濯機の蓋体の前側裏面部材の平面図、図５は、同洗濯機の蓋体の後側裏面部材の平面図、図６（ａ）は、同洗濯機の蓋体の断面図、図６（ｂ）は図６（ａ）のｂ部拡大断面図、図６（ｃ）は図６（ａ）のｃ部拡大断面図である。
【００４０】
図４において、前側裏面部材１１の外周近傍には、溝部１１ｂとリブ１１ｃが設けられる。溝部１１ｂとリブ１１ｃは、それぞれ近接して設けられる。また、前側裏面部材１１は、第一固着部材１６が固着される貼付面１１ｄを有し、溝部１１ｂと貼付面１１ｄの間には、第二凹部１１ｅが設けられる。この第二凹部１１ｅには、第一補強リブ１１ｆが一定間隔で設けられる。第一補強リブ１１ｆで仕切られた第一空間１１ｇには、少なくとも１つ以上の第一水抜孔１１ｈが設けられている。
【００４１】
図５において、開口１３ａ周囲には、第二固着部材１７が固着される貼付面１３ｄが設けられる。後側裏面部材１３の外周近傍には、溝部１３ｂとリブ１３ｃが、それぞれ近接して設けられる。
【００４２】
図６において、後側裏面部材１３は、強度を確保する為に、貼付面１３ｄと裏面部１３ｅの二層構成としている。また、後側裏面部材１３は、前側裏面部材１１と同様に、この貼付面１３ｄと裏面部１３ｅの間には、複数の第二補強リブ１３ｆが設けられる。この第二補強リブ１３ｆで仕切られた第二空間１３ｇには、少なくとも１つ以上の第二水抜孔１３ｈが設けられている。
【００４３】
上記構成における、洗濯機の蓋体の機能を説明する。
【００４４】
蓋体３は、取手部７を持ち上げつつ後方に押し込む操作にて、軸支部６を支点として屈曲させつつ開き状態となり、内部の洗濯槽９に衣類等の洗濯物の投入や、洗剤の投入が可能になる。
【００４５】
また、蓋体３は、閉じた状態、すなわち前蓋体４と後蓋体５とが折れ蓋状態ではなく、
前蓋体４と後蓋体５とで１つの面を形成する状態では、後蓋体５の透明構造の透明窓部１２ａから内部の洗濯槽９の状況、たとえば衣類の動き等を視認することが可能となる。
【００４６】
なお、蓋体３を軸支構造で折り畳み可能にしている理由は、蓋体を大型化した場合、一枚蓋では開き時の高さが高くなり操作性が低下するという問題と、洗濯機設置場所の上方のスペースで他の部材と干渉するという問題があるためである。
【００４７】
上記構成における、蓋体の要部による作用を説明する。
【００４８】
透明強化ガラス製の前側天面部材１０と前側裏面部材１１は、両面テープ等の第一固着部材１６のみで固着されており、それに加え、透明強化ガラス製の後側天面部材１２と後側裏面部材１３は、両面テープ等の第二固着部材１７のみで固着されている。これにより、前側天面部材１０と後側天面部材１２の表面部１０ｂ、１２ｂより突出する部材がないため、フラット感の高いデザインを実現できる。
【００４９】
また、透明な前側天面部材１０と、前側天面部材１０の裏側に装着された不透明な前側裏面部材１１の間には、溝部１１ｂや第二凹部１１ｅや第一空間１１ｇが形成され、外周には隙間１１ｊが形成されている。これにより、表面側にこぼれた水や洗剤等が、隙間１１ｊから溝部１１ｂや第二凹部１１ｅや第一空間１１ｇに浸入したとしても、前側天面部材１０の端部まで施された前側天面部材の華燭部１０ｃにより、異物侵入形跡が視認されない。よって、外観品位、お手入れ性を向上させることができる。
【００５０】
同様に、透明な後側天面部材１２と、後側天面部材１２の裏側に装着された不透明な後側裏面部材１３の間には、溝部１３ｂや第二空間１３ｇが形成され、外周には隙間１３ｊが形成されている。これにより、表面側にこぼれた水や洗剤等が、隙間１３ｊから侵入したとしても、後側天面部材１２の端部まで施された後側天面部材の華燭部１２ｃにより、異物浸入形跡は視認されない。同様に、洗濯時の注水や攪拌時に飛跳ねた洗濯水や、お湯を使った場合の蒸気等が裏面の開口１３ａの隙間１３ｋより溝部１３ｂや第二空間１３ｇに浸入したとしても、後側天面部材１２の端部まで施された後側天面部材の華燭部１２ｃにより、異物浸入形跡は視認されない。よって、外観品位、お手入れ性を向上することができる。
【００５１】
また、前側天面部材の華燭部１０ｃ、後側天面部材の華燭部１２ｃは、耐洗剤性に優れたインクによるシルク印刷により、前側天面部材１０と後側天面部材１２の裏面に形成される。これにより、マスキング塗装や印刷したフィルムのインサート成形等の高価な手段を使用しなくても、印刷範囲を限定することなくデザインすることが可能となり、奥行き感のあるデザインが実現できる。
【００５２】
また、蓋体３の軸受部６は、前蓋体４の後方位置、かつ後蓋体５の前方位置である、蓋体３の略中央部に配置されている。後側天面部材の華燭部１２ｃは、前蓋体４を構成する不透明部材の前側裏面部材１１と後蓋体５の後側天面部材１２の裏面に端部まで施され、形成される。これにより、蓋体３を閉じた状態において、斜め前方上方から透明窓部１２ａを覗き込む際に、軸受部６が視認されなくなるので、蓋体３を閉じた状態での外観品位、デザイン性が向上できる。また、上記構成により、軸受部６の配置幅を広くしても、透明窓部１２ａから軸受部６が視認されないので、蓋体３を閉じた状態での外観品位、デザイン性を向上させることができる。
【００５３】
また、軸受部６は、取手部７の幅や配置に関係なく、前側裏面部材１１の幅寸法内で配置幅を設定できるので、安定した折り畳み動作を得ることができる。
【００５４】
透明フィルム１８は、靭性に優れた樹脂フィルムで構成される。樹脂フィルムの材料としては、ポリエステル等の透明な樹脂材料が想定される。透明窓部１２ａの表面に透明フィルム１８を設けることで、透明窓部１２ａに衝撃が加わりガラスが割れてしまったとしても、ガラスの破片が飛散することを防止できる。
【００５５】
さらに、透明窓部１２ａの裏側表面に透明フィルム１８を設けることで、ガラスが割れてしまった際に、洗濯槽９内にガラスの細かな破片が混入することを防ぐことができる。それに加え、洗濯機使用時の蓋体操作により、柔らかいフィルム面に細かな傷が付き、透明性が劣化することを軽減できる。
【００５６】
また、透明フィルム１８は、透明プラスチックフィルムと粘着材の組み合わせとしてもよい。粘着剤を組み合わせることで、より効果的にガラスの破片の脱落、飛散を防ぐことができる。
【００５７】
また、透明フィルム１８として、液状タイプのコーティング材料を用いてもよい。例えば、透明窓部１２ａの裏面にコーティング材料を塗布し、液が乾くと、被膜状の透明フィルム１８が形成されるような構成が想定される。液状タイプのコーティング材料を用いることで、より密着性の高い透明フィルム１８を実現することができる。
【００５８】
以上のように、本実施の形態１における洗濯機は、筐体である洗濯機本体１と、洗濯機本体１の内部に回転可能に支持された洗濯槽９と、衣類投入口２２が形成された上面カバー２と、衣類投入口２２を開閉自在に閉塞する蓋体３とを備える。蓋体３は、前蓋体４と、後蓋体５で構成される。前蓋体４は、前側天面部材１０と、前側裏面部材１１とからなる。後蓋体５は、後側天面部材１２と、後側裏面部材１３とからなる。後側裏面部材には、衣類投入口２２より洗濯槽９の内部を視認するための開口１３ａが形成される。後側天面部材１２における裏面側には、透明フィルム１８が設けられる。これにより、透明窓部１２ａ及び透明フィルム１８を介して洗濯槽９の内部が視認可能となり、かつ衝撃により透明窓部１２ａが割れたとしても、透明フィルム１８がガラスの破片の飛散を防止する。そのため、ガラスで構成された蓋の安全性や外観品位を安価に高めることができる。
【００５９】
以上のように、本出願において開示する技術の例示として、実施の形態１を説明したが、本開示における技術はこれに限定されず、変更、置き換え、付加、省略などを行った実施の形態にも適用できる。
【００６０】
例えば、実施の形態１では、透明フィルム１８は透明窓部１２ａの裏側面に固着されると説明したが、透明窓部１２ａの表側面に固着させるような構成にしてもよい。これにより、固着の際の作業性向上が期待される。
【００６１】
また、透明フィルム１８は、透明窓部１２ａを部分的に覆うような構成にしてもよく、透明窓部１２ａ全体を覆うように限定するものではない。また、透明窓部１２ａの面積よりも、透明フィルム１８の面積が大きくなるように構成してもよく、透明フィルム１８が透明窓部１２ａの範囲を超えないことを限定するものではない。
【産業上の利用可能性】
【００６２】
以上のように、本発明にかかる洗濯機の蓋装置は、安価な構成で、ガラス材料にて構成された蓋装置の安全性を高めることができるので、蓋体を有する他の家庭用電化機器の用途に適用できる。
【００６３】
また、添付の図面を参照して、例示的な洗濯機を説明したが、洗濯機は、衣類を洗浄する洗濯機能だけでなく、乾燥機能を有してもよい。洗濯機能に付随した様々な機能は、前
述の実施形態の原理を何ら限定しない。
【符号の説明】
【００６４】
１  洗濯機本体（筐体）
２  上面カバー
３  蓋体
４  前蓋体
５  後蓋体
７  取手部
９  洗濯槽
１０  前側天面部材（天面部材）
１０ｃ  前側天面部材の華燭部
１１  前側裏面部材（裏面部材）
１２  後側天面部材（天面部材）
１２ａ  透明窓部
１２ｃ  後側天面部材の華燭部
１３  後側裏面部材（裏面部材）
１３ａ  開口（開口部）
１６  第一固着部材（固着部材）
１７  第二固着部材（固着部材）
１８  透明フィルム（保護部）
２２  衣類投入口
【図１】
2019170614.tif 000003
【図２】
2019170614.tif 000004
【図３】
2019170614.tif 000005
【図４】
2019170614.tif 000006
【図５】
2019170614.tif 000007
【図６】
2019170614.tif 000008
【図７】
2019170614.tif 000009